(57)【要約】【課題】  傘のカバーをアクセサリーに変化させることができ、傘の使用時に柄等に取付けて傘と一緒にすることで、傘を閉じた時にすかさずカバーを使用することによって、濡れた傘で他人に迷惑をかけることがないようにできるパラソルストラップを提供する。【解決手段】  傘１を挿入するカバー２の内面で傘１を出し入れする開口側の位置に、このカバー２の開口側を裏返しにしたときに表示体となるデザインの図柄６を設け、このカバー２は裏返した短い筒状体の中に残りの部分を納めることで、全体が図柄６によって表現された立体的な各種キャラクターの人形やマスコットのようなパラソルストラップＡとなる。【選択図】図１
2005312859.tif 000002
【特許請求の範囲】
【請求項１】
傘を挿入するカバーからなり、このカバーの内面で傘を出し入れする開口側の位置に、前記カバーの開口側を裏返しにしたときに表示体となるデザインの図柄を設けたパラソルストラップ。
【請求項２】
上記表示体となる図柄が、各種キャラクターの図柄になっている請求項１に記載のパラソルストラップ。
【請求項３】
上記傘を挿入するカバーの傘を出し入れする開口側の位置に吊り下げ具を設けた請求項１又は２に記載のパラソルストラップ。
【発明の詳細な説明】
【技術分野】
【０００１】  この発明は、パラソルストラップ、更に詳しくは、傘の使用時に不要となったカバーをアクセサリーとして傘に取付けて携行することができるようにしたパラソルストラップに関する。
【背景技術】
【０００２】  一般的に、パラソル（以下傘という）は長い一本物でも折り畳み式の場合でも傘のカバーがセットになっており、降雨時以外はこのカバー内に傘を収納して保管や携行することになる。【０００３】  ところで、降雨時に傘を使用する場合、カバー内から傘を取り出すことになるので、カバーは不要になり、このカバーの取り扱いとしては、カバーをバッグやポケットに収納したり、最初から家等に置いて出ることになる。
【発明の開示】
【発明が解決しようとする課題】
【０００４】  ところで、降雨時に使用した傘を電車内に持ち込んだ場合、混み合っているとき、濡れた傘で他人の衣服を濡らす場合があり、これを避けるためには、傘をカバー内に収納すればよいが、上述したように、傘のカバーは、傘と一緒になっていないため、カバーは雨で濡れた傘を収納するために使用されることが少なく、たまにビニールの筒袋に挿入するような人を見かける程度であり、雨天時に濡れた傘で他人の衣服を濡らすという事態が解消されていないのが現状である。【０００５】    そこで、この発明の課題は、傘のカバーをアクセサリーに変化させることができ、傘のカバーを持ち歩くことが楽しくなり、傘の使用時に柄等に取付けて傘と一緒にすることで、傘を閉じた時にすかさずカバーを使用することによって、濡れた傘で他人に迷惑をかけることがないようにできるパラソルストラップを提供することにある。
【課題を解決するための手段】
【０００６】  上記のような課題を解決するため、この発明は、傘を挿入するカバーからなり、このカバーの内面で傘を出し入れする開口側の位置に、前記カバーの開口側を裏返しにしたときに表示体となるデザインの図柄を設けた構成を採用したものである。【０００７】  上記表示体となる図柄が、各種キャラクターの図柄になっているようにしたり、上記傘を挿入するカバーの傘を出し入れする開口側の位置に吊り下げ具を設けた構造とすることができる。【０００８】  上記カバー本体は、各種布地を用いて筒状に縫製され、長い一本物の傘と折り畳み式の傘の何れでもよく、開口側の端部周壁に設けた切り開き部をホック等で開閉可能としたり、開口側の端部をゴムで絞ったような構造になっている。
【発明の効果】
【０００９】  この発明によると、傘を挿入するカバーの内面で傘を出し入れする開口側の位置に、このカバーの開口側を裏返しにしたときに表示体となるデザインの図柄を設けたので、傘の使用時に、傘から外したカバーは開口側を裏返しにし、残りの部分をその内部に押し込んで収納すれば、内面の図柄が裏返しによって表側に表れ、裏返した短い筒体の中に残りの部分が納まることで、全体が図柄によって表現された立体的な装飾品となり、これを傘の柄に取付けることでパラソルストラップとなり、傘に対する新しいアクセサリーとして傘とカバーを一緒にして携行することに抵抗感がなくなり、むしろカバーを傘と一緒にして携行することが楽しくなり、傘とカバーを一緒にして携行することで、傘を閉じた時にすかさず柄から取り外したカバーを元の状態に引き伸ばして濡れた傘にカバーを被せることができ、濡れた傘で他人に迷惑をかけるような事態を有効に防ぐことができる。【００１０】  また、カバーの内面に施す図柄は、アニメーション、動物等の各種キャラクターや、大人用と子供用に対応したデザインの色彩と意匠的なものを選ぶことができ、このカバーを組み合わせ使用することによって傘の付加価値を向上させることができる。
【発明を実施するための最良の形態】
【００１１】  以下、この発明の実施の形態を添付図面に基づいて説明する。【００１２】  図示のように、パラソルストラップＡは、傘１に被せて取付けるカバー２によって形成され、このカバー２は、各種布地やシート材料を用い、畳んだ傘１の布地の部分の全長が収まる長さの筒状に縫製され、図示の場合、カバー２の傘１を抜き差しする開口側の端部周壁に設けた切り開き部３を一対のホック４で開閉可能とし、他方端部に石突の突出孔５を設けたが、切り開き部３を面ファスナーやファスナーで開閉できるようにしたり、カバー２は開口側の端部をゴムで絞ったような構造にすることもできる。【００１３】  また、傘１は図示の場合、長い一本物の傘とし、そのカバー２もこの傘１に対応する長いものとしたが、傘１は折り畳み式の傘でもよく、折り畳み式の傘のカバーは長い一本物の傘のものより短くなる。【００１４】  上記カバー２の内面で傘１を出し入れする開口側の位置に、このカバー２の開口側を所定長さだけ裏返しにしたときに、外面側で表示体となるデザインの図柄６が設けられている。【００１５】  なお、上記カバー２の裏返し長さは自由に設定すればよいが、図示の場合は、切り開き部３の長さに対応させた範囲で図柄６を形成しているが、形成するながさの範囲は自由に設定すればよい。【００１６】  上記図柄６は、例えば、アニメーション、動物等の各種キャラクターや、大人用と子供用に対応したデザインの色彩と意匠的なものを選ぶことができ、カバー２に対して、印刷、刺繍、貼り付け、プリント、手書き等の単用もしくは組み合わせによって表示されている。【００１７】  また、上記カバー２の開口側の端部位置には、傘１の柄７に設けた吊り下げ輪８に対して着脱自在に掛け吊る吊り下げ具９が取付けてある。【００１８】  この発明のパラソルストラップは、上記のような構成であり、降雨時以外はカバー２を傘１に被せて取付け、傘１を保管や携行することになる。【００１９】  降雨時に傘１を使用する場合、カバー２内から傘１を取り出すと共に、カバー２は、図３（ａ）のように、傘１を出し入れする開口側を所定長さだけ外側に裏返しにし、残りの部分を同図矢印のようにその内部に押し込んで収納すれば、内面の図柄６が裏返しによって表側に表れ、カバー２は裏返した短い筒状体の中に残りの部分を折り畳むようにして納めることで、図３（ｂ）のように、全体が図柄６によって表現された円軸状や球状で立体的な各種キャラクターの人形やマスコットのようなパラソルストラップＡとなる。【００２０】  このパラソルストラップＡを吊り下げ具９で傘１の柄７に設けた吊り下げ輪８に取付けることで、図１（ａ）のように、傘１に対する新しいアクセサリーとなり、パラソルストラップＡは、傘１を開いたときに柄７から吊り下がり、丁度携帯電話とこれに取付けるストラップの関係のようになり、このように、カバー２をパラソルストラップＡとすることにより、傘１とカバー２を一緒にして携行することに抵抗感がなくなり、むしろカバー２を傘１と一緒にして携行することが楽しくなる。【００２１】  また、傘１とカバー２を一緒にして携行することで、傘１を閉じた時に、すかさず柄７から取り外したカバー２を元の状態に引き伸ばして濡れた傘１に��バーを被せることができ、濡れた傘１で他人に迷惑をかけるような事態を有効に防ぐことができる。
【図面の簡単な説明】
【００２２】
【図１】（ａ）はパラソルストラップを取付けた傘の閉じた状態の正面図、（ｂ）はパラソルストラップとなる前の傘のカバーを示す正面図
【図２】パラソルストラップとなる前の傘のカバーを示す開口側の斜視図
【図３】（ａ）は傘のカバーをパラソルストラップとするため開口側を折り返した正面図、（ｂ）は傘のカバーをパラソルストラップにした正面図
【符号の説明】
【００２３】１        傘
２        カバー
３        切り開き部
４        ホック
５        石突の突出孔
６        図柄
７        柄
８        吊り下げ輪
９        吊り下げ具
Ａ        パラソルストラップ
【図１】
2005312859.tif 000003
【図２】
2005312859.tif 000004
【図３】
2005312859.tif 000005